(57)【特許請求の範囲】
【請求項１】
ワークピース上にサブピクセル行の規則正しい配列を形成する方法であって、サブピクセルは４つの異なる色を有し、かつサブピクセルピッチｓを有し、ｑ色は印刷により形成され、ｒ色は非印刷方法により形成され、前記方法は、
（１）ノズル間隔ｐを有する行内に配置されたｚ本のノズルを有する印刷ヘッドを設けることであって、ｚ＝４ｎ1であり、ｐ＝３ｓであり、印刷ヘッドはワークピースに対して第１の位置にある、印刷ヘッドを設けること、
（２）印刷ヘッドに、ｑ印刷色のそれぞれに１つずつ、ｑ個の異なるカラー印刷インクを提供すること、
（３）規則正しい交互パターンで印刷インクのそれぞれをノズルに供給すること、
（４）印刷ヘッドを使用して、第１の組のｚサブピクセル行を印刷すること、
（５）移動させること、および第１の印刷パターンで印刷することであって、
（ａ）第１の組のｚサブピクセル行が印刷された方向に対して垂直な方向に、ワークピースを距離ｄ1（但し、ｄ1＝４ｎ2ｓである）だけ移動させること、
（ｂ）印刷ヘッドを使用してｚサブピクセル行の組を印刷すること
を含む、移動させること、および第１の印刷パターンで印刷すること、
（６）移動させること、および第２の印刷パターンで印刷することであって、
（ｃ）第１の組のｚサブピクセル行が印刷された方向に対して垂直な方向に、ワークピースを距離ｄ2（但し、ｄ2＝ｄ1である）だけ移動させること、
（ｄ）印刷ヘッドを使用してｚサブピクセル行の組を印刷すること
を含む、移動させること、および第２の印刷パターンで印刷すること、
（７）移動させること、および第３の印刷パターンで印刷することであって、
（ｅ）第１の組のｚサブピクセル行が印刷された方向に対して垂直な方向に、ワークピースを距離ｄ3（但し、ｄ3は、ｄ1＋ｄ2＋ｄ3＝ｐｚであるようにｄ3＝４ｎ3ｓである）だけ移動させること、
（ｆ）印刷ヘッドを使用してｚサブピクセル行の組を印刷すること
を含む、移動させること、および第３の印刷パターンで印刷すること、
（８）ステップ（５）〜（７）を同じ順序で複数回繰り返すこと、および
（９）ｒ色を非印刷方法で塗布すること
を含み、
ｎ1は０よりも大きな整数であり、
ｎ2は、３の倍数ではなく、かつｎ2≦ｎ1であるような、０よりも大きな整数であり、
ｎ3は、２ｎ2＋ｎ3＝３ｎ1であるような整数であり、
ｑは１〜４の整数であり、
ｒはｑ＋ｒ＝４であるような整数であり、
パターンは、（ｉ）第１の印刷パターンの後、第２の印刷パターンが続き、次に第３の印刷パターンが続く順序、または（ｉｉ）第３の印刷パターンの後、第１の印刷パターンが続き、次に第２の印刷パターンが続く順序で実行される、方法。
【請求項２】
ｑ＝４である、請求項１に記載の方法。
【請求項３】
ｎ1は少なくとも２である、請求項１に記載の方法。
【請求項４】
ｎ1＝３〜９である、請求項１に記載の方法。
【請求項５】
ｎ1は３の倍数ではなく、ｄ1＝ｄ2＝ｄ3である、請求項１に記載の方法。
【請求項６】
各印刷インクは、エレクトロルミネセンス材料および液体媒体を含む、請求項１に記載の方法。
【請求項７】
ｒは少なくとも１であり、非印刷方法は、蒸着、熱転写、スピンコーティング、グラビアコーティング、カーテンコーティング、浸漬被覆、スロットダイコーティング、および吹き付け塗装からなる群から選択される、請求項１に記載の方法。
【発明の詳細な説明】
【技術分野】
【０００１】
本願は、米国特許法第１１９条（ｅ）項の下で、２００９年６月４日に出願された仮特許出願第６１／１８４，０８６号明細書からの優先権を主張するものであり、この仮出願を参照により本明細書に援用する。
【０００２】
本開示は、一般には電子装置および方法に関し、特に、電極および異なる色の有機活性領域を有する電子装置ならびにそのような電子装置を形成する方法に関する。
【背景技術】
【０００３】
電子装置は、液晶ディスプレイ（「ＬＣＤ」）、有機発光ダイオード（ＯＬＥＤ）ディスプレイ等を含むことができる。電子装置の製造は、溶液析出法を使用して実行し得る。電子装置を製造する一プロセスは、印刷（例えば、インクジェット印刷、連続印刷等）により、有機層を基板上に堆積させることである。印刷プロセスにおいて、印刷される液体組成物は、溶液中の有機材料、または有機溶媒、水溶液、または溶媒の組み合わせ中に分散、乳濁、または懸濁した有機材料を含む。印刷後、溶媒は蒸発して有機材料が残り、電子装置の有機層を形成する。
【発明の概要】
【発明が解決しようとする課題】
【０００４】
通常、第１の色が印刷され、次に、印刷装置が再較正され、第２の色が印刷される。場合によっては、第１の色が印刷された基板が、第２の色を印刷する第２のプリンタに移される。これには、プリンタをセットアップし、位置合わせするための時間も必要になる。多くの場合、３色：赤、緑、および青が印刷される。この場合、色毎に再較正し、かつ／または位置合わせし直すために時間をかけざるを得ない。改良された印刷プロセスが必要である。
【課題を解決するための手段】
【０００５】
ワークピース上にサブピクセル行の規則正しい配列を形成する方法であって、サブピクセルは４つの異なる色を有し、かつサブピクセルピッチｓを有し、ｑ色は印刷により形成され、ｒ色は非印刷方法により形成され、上記方法は、
（１）ノズル間隔ｐを有する行内に配置されたｚ本のノズルを有する印刷ヘッドを設けることであって、ｚ＝４ｎ1であり、ｐ＝３ｓであり、印刷ヘッドはワークピースに対して第１の位置にある、印刷ヘッドを設けること、
（２）ｑ印刷色のそれぞれに１つずつ、ｑ個の異なる印刷インクを提供すること、
（３）規則正しい交互パターンで印刷インクのそれぞれをノズルに供給すること、
（４）印刷ヘッドを使用して、第１の組のｚサブピクセル行を印刷すること、
（５）移動させること、および第１の印刷パターンで印刷することであって、
（ａ）ワークピースを印刷ヘッドに対して距離ｄ1（但し、ｄ1＝４ｎ2ｓである）だけ横方向に移動させること、
（ｂ）印刷ヘッドを使用してｚサブピクセル行の組を印刷すること
を含む、移動させること、および第１の印刷パターンで印刷すること、
（６）移動させること、および第２の印刷パターンで印刷することであって、
（ｃ）ワークピースを印刷ヘッドに対して距離ｄ2（但し、ｄ2＝ｄ1である）だけ横方向に移動させること、
（ｄ）印刷ヘッドを使用してｚサブピクセル行の組を印刷すること
を含む、移動させること、および第２の印刷パターンで印刷すること、
（７）移動させること、および第３の印刷パターンで印刷することであって、
（ｅ）ワークピースを印刷ヘッドに対して距離ｄ3（但し、ｄ3は、ｄ1＋ｄ2＋ｄ3＝ｐｚであるようにｄ3＝４ｎ3ｓである）だけ横方向に移動させること、
（ｆ）印刷ヘッドを使用してｚサブピクセル行の組を印刷すること
を含む、移動させること、および第３の印刷パターンで印刷すること、
（８）ステップ（５）〜（７）を同じ順序で複数回繰り返すこと、および
（９）ｒ色を非印刷方法で塗布すること
を含み、
ｎ1は０よりも大きな整数であり、
ｎ2は、３の倍数ではなく、かつｎ2≦ｎ1であるような、０よりも大きな整数であり、
ｎ3は、２ｎ2＋ｎ3＝３ｎ1であるような整数であり、
ｑは１〜４の整数であり、
ｒはｑ＋ｒ＝４であるような整数であり、
パターンは、（ｉ）第１の印刷パターンの後、第２の印刷パターンが続き、次に第３の印刷パターンが続く順序、または（ｉｉ）第３の印刷パターンの後、第１の印刷パターンが続き、次に第２の印刷パターンが続く順序で実行される、方法が提供される。
【０００６】
上記の概説および以下の詳細な説明は、例示および説明のためのみのものであり、添付の特許請求の範囲において規定されるような本発明を限定ではない。
【０００７】
実施形態は、本明細書に提示される概念の理解を向上させるために、添付図に示される。
【図面の簡単な説明】
【０００８】
【図１】ワークピースおよびプリンタの断面図を含む。
【図２】ディスプレイを含む電子装置を製造するためのワークピースの平面図を含む。
【図３】８本のノズルを使用する印刷方法を示す図を含む。
【図３−２】８本のノズルを使用する印刷方法を示す図を含む。
【図４】８本のノズルを使用する別の印刷方法を示す図を含む。
【図４−２】８本のノズルを使用する別の印刷方法を示す図を含む。
【図５】８本のノズルを使用する別の印刷方法を示す図を含む。
【図６】１２本のノズルを使用する別の印刷方法を示す図を含む。
【図６−２】１２本のノズルを使用する別の印刷方法を示す図を含む。
【図７】１２本のノズルを使用する別の印刷方法を示す図を含む。
【図７−２】１２本のノズルを使用する別の印刷方法を示す図を含む。
【図８】８本のノズルを使用する別の印刷方法を示す図を含む。
【発明を実施するための形態】
【０００９】
図中の要素が、単純化および明確化のために示され、必ずしも一定の縮尺で描かれているわけではないことを当業者は理解する。例えば、本発明の実施形態の理解の向上を助けるために、図中の要素のうちのいくつかの寸法が、他の要素に相対して強調され得る。
【００１０】
多くの態様および実施形態が上述され、それらの態様および実施形態は単なる例示であり、限定ではない。本明細書の読後、本発明の範囲から逸脱せずに、他の態様および実施形態が可能なことを当業者は理解する。
【００１１】
実施形態のうちの任意の１つまたは複数の他の特徴および恩恵が、以下の詳細な説明および特許請求の範囲から明らかになろう。詳細な説明では、まず用語の定義および明確化に対処し、その後、プリンタ、印刷プロセス、電子装置、そして最後に実施例が続く。
【００１２】
１．用語の定義および明確化
後述する実施形態の詳細に対処する前に、いくつかの用語を定義、すなわち明確化し得る。
【００１３】
用語「配列」は、要素の順序付けられた構成を意味することを意図する。配列は、通常、列および行で示される順序付けられた構成内のピクセル、サブピクセル、セル、または他の構造を含み得る。配列は、ｘ方向およびｙ方向に関して説明することができる。
【００１４】
用語「青」は、おおよそ４００ｎｍ〜５００ｎｍの範囲の波長を有する光を指す。
【００１５】
用語「連続」およびその変形は、略途切れないことを意味することを意図する。一実施形態では、連続した印刷は、液滴を使用する堆積技法とは対照的に、略途切れない液体または液体組成物ストリームを使用した印刷である。別の実施形態では、連続した延在は、層、部材、または構造の長さを指し、層内、部材内、または構造内で長さに沿って大きな破断がない。
【００１６】
用語「電子装置」は、電気的に適宜接続され、適切な電位が供給された場合、機能を集合的に実行する回路、電子構成要素、またはそれらの他の任意の組み合わせの集まりを意味することが意図される。電子装置は、システムの一部を含み得、またはシステムの一部であり得る。電子装置の例としては、ディスプレイ、センサ配列、コンピュータシステム、アビオニクスシステム、自動車、携帯電話、他の大衆消費電子商品、他の工業電子商品、またはそれらの任意の組み合わせが挙げられる。
【００１７】
用語「緑」は、おおよそ５００ｎｍ〜６００ｎｍの範囲内の波長を有する光を指す。
【００１８】
本明細書において使用される用語「整数」は、負の整数を含まない。
【００１９】
用語「液体組成物」は、溶液を形成するために材料が溶解する液体媒体、分散を形成するために材料が
溶解する液体媒体、または懸濁もしくは乳濁を形成するために材料が溶解する液体媒体を意味することを意図する。
【００２０】
用語「液体媒体」は、溶液、分散、懸濁、または乳濁内の液体を意味することを意図する。用語「液体媒体」は、存在する溶媒が単数であるか、それとも複数であるかに関わりなく使用され、したがって、液体媒体は、
用語の単数形または複数形（すなわち、複数の液体媒体（ｌｉｑｕｉｄ  ｍｅｄｉａ））として使用される。
【００２１】
用語「ノズル」は、液体組成物または液体媒体を分注できる装置の部分を意味することを意図する。
【００２２】
用語「配向」は、特徴が延びる主な方向を意味することを意図する。同じ高さまたは異なる高さにある異なる特徴間のように、特徴は互いに対して略平行に、略垂直に、または別の角度関係で配向し得る。
【００２３】
用語「有機活性層」は、有機層のうちの少なくとも１つがそれ自体で、または異種材料に接触した場合に、整流接合部を形成可能な１つまたは複数の有機層を意味することを意図する。用語「有機活性領域」は、有機領域のうちの少なくとも１つがそれ自体で、または異種材料に接触した場合に、整流接合部を形成可能な１つまたは複数の有機領域を意味することを意図する。
【００２４】
用語「ピッチ」は、すぐ隣の特徴間の特徴寸法および空間寸法の和を意味することを意図する。
【００２５】
用語「ピクセル」は、配列のうちの最も小さな完成した繰り返し単位を意味することを意図する。用語「サブピクセル」は、ピクセルの全部ではなく一部を構成するピクセルの部分を意味することを意図する。サブピクセルは、カラー画像の表現に使用されるピクセルの構成要素のうちの１つである。各サブピクセルは、ピクセルの全体の色および明度に対する単一の色の寄与を表す。センサ配列は、サブピクセルを含んでもよく、または含まなくてもよいピクセルを含み得る。
【００２６】
用語「印刷」は、印刷ヘッドまたは他の同様の構造を使用して、液体または液体組成物をワークピース上に分注することにより、層を選択的に堆積させる動作を意味することを意図する。
【００２７】
用語「印刷装置」は、層をワークピース上に印刷するように設計された１つまたは複数の材料、機器、組立体、または下位組立体の組み合わせを意味することを意図する。
【００２８】
用語「赤」は、おおよそ６００ｎｍ〜７５０ｎｍの範囲内の波長を有する光を指す。
【００２９】
用語「解像限界」は、特定の装置または他の機器を使用した場合に再現可能に形成できる最小特徴サイズを意味することを意図する。
【００３０】
用語「白」は、おおよそ３８０ｎｍ〜７５０ｎｍの範囲内の波長を有する光を広く指す。
【００３１】
用語「ワークピース」は、１つまたは複数の素子層を有する基板を意味することを意図する。素子層は無機層または有機層にできる。
【００３２】
用語「黄」は、５７０ｎｍ〜６００ｎｍの範囲内の波長を有する光を指す。
【００３３】
本明細書において使用する用語「備える」、「備えている」、「含む」、「含んでいる」、「有する」、「有している」、またはそれらの他の任意の変形は、非排他的な包含を含むことが意図される。例えば、列挙された特徴を備えるプロセス、方法、物品、または装置は、必ずしも、それらの特徴のみに限定されず、明示的に列挙されない、またはそのようなプロセス、方法、物品、または装置に固有の他の特徴を含み得る。さらに、逆のことが明記されない限り、「または」は、排他的ｏｒではなく、包含的ｏｒを指す。例えば、条件ＡまたはＢは、以下のうちのいずれか１つにより満たされる：Ａが真であり（または存在し）、かつＢが偽である（または存在しない）、Ａが偽であり（または存在せず）、かつＢが真である（または存在する）、ならびにＡおよびＢの両方が真である（または存在する）。
【００３４】
「ａ」または「ａｎ」の使用も、本明細書に記載の要素および構成要素を説明するために利用される。これは単に便宜上のため、かつ本発明の範囲の広義の意味を与えるために行われる。この説明は、１つまたは少なくとも１つを含むものと解釈されるべきであり、複数形が含まれないことが意味されることが明らかな場合を除き、単数形は複数形も含む。
【００３５】
要素の周期表内の列に対応するグループ番号は、ＣＲＣ  Ｈａｎｄｂｏｏｋ  ｏｆ  Ｃｈｅｍｉｓｔｒｙ  ａｎｄ  Ｐｈｙｓｉｃｓ，８１ｓｔ  Ｅｄｉｔｉｏｎ（２０００−２００１）に見られる「新表記」慣例を使用する。
【００３６】
別段のことが定義される場合を除き、本明細書において使用されるすべての技術用語および科学用語は、本発明が属する分野の当業者により一般に理解される意味と同じ意味を有する。本明細書に記載の方法および材料と同様または均等な方法および材料を、本発明の実施形態の実施または試験に使用できるが、適した方法および材料を以下に述べる。本明細書において言及されるすべての出版物、特許出願、特許、および他の引用は、特定の節が引用される場合を除き、参照により本明細書に援用される。不一致の場合は、定義を含め、本明細書が優先される。さらに、材料、方法、および実施例は単なる例示であり、限定として意図されない。
【００３７】
本明細書に記載されない範囲で、特定の材料、処理動作、および回路に関する多くの詳細が従来通りのものであり、有機発光ダイオードディスプレイ、光検出器、光起電力、および半導体部材の分野内の教科書および他のソース内に見出し得る。
【００３８】
２．プリンタ
特定の実施形態に対処する前に、本明細書に記載の概念の理解を助けるために、プリンタに対処する。
【００３９】
図１に示されるように、プリンタ１０は、８本のノズル１２０が取り付けられた印刷ヘッド１１０を有する。ノズルの間隔はｐとして示される。プリンタは、ライン（図示せず）に取り付けられて、適切な液体組成物を各ノズルに供給する。４色の各色に１つずつ、異なる液体組成物が、規則正しい交互パターンで供給される。これにより、いずれも重複する前に各色が供給されること、および追加の色が同じ順序で供給されることが意味される。この図では、第１のノズルは色１を有し、第２のノズルは色２を有し、第３のノズルは色３を有し、第４のノズルは色４を有し、第５のノズルは色１を有し、第６のノズルは色２を有し、第７のノズルは色３を有し、第８のノズルは色４を有する。したがって、このシステムでは、ｚ＝４ｎ1＝８であり、ｎ1＝２である。
【００４０】
印刷ヘッドは、ワークピース２０の上方に示される。印刷ヘッドおよびワークピースは、互いに対して移動可能である。印刷時、印刷ヘッドはワークピースに対して紙の平面に入ったり出たりする方向において移動することになる。印刷ヘッドは、Ｌで示されるように、ワークピースに対して横方向にも移動することになる。この移動は相対的なものである。場合によっては、ワークピースが移動する。場合によっては、印刷ヘッドが移動する。場合によっては、印刷ヘッドおよびワークピースの両方が移動する。簡明化するために、移動は、まるで印刷ヘッドが移動するかのように、かつワークピースが静止しているかのようにして対応する。印刷ヘッドおよびワークピースのうちの一方または両方が移動でき、問題なのは互いに対する相対移動のみであることが理解されよう。
【００４１】
図１に示される実施形態では、プリンタは８本のノズルを有する。ノズルの実際の数は、これよりも大きくてもよく、実際の製造考慮事項によってのみ制限される。いくつかの実施態様では、ノズルの数は少なくとも８本である。いくつかの実施形態では、ノズルの数は８本〜３６本の範囲であり、いくつかの実施形態では、２０本〜３２本の範囲である。
【００４２】
印刷射出は、液体材料を堆積させる既知の任意のシステムであることができる。印刷技術のいくつかの例としては、インクジェットおよび連続ノズル噴霧が挙げられるが、これらに限定されない。
【００４３】
３．印刷プロセス
図２は、電子装置を製造するためのワークピース２０の平面図を含む。ワークピースは、サブピクセル開口部２１０の規則正しい配列を有する基板２００を含む。ワークピースは、第１の縁部２０１および逆の縁部２０２を有する。数個のサブピクセルのみが図に示される。実際には、装置は数百個以上のサブピクセルを有し得る。いくつかの実施形態では、サブピクセル開口部は、物理的な閉じ込め構造、化学的な閉じ込め構造、またはこれらの両方であり得る閉じ込め構造（図示せず）により画定される。サブピクセル開口部２１０は、２１１、２１２、２１３、および２１４として示される行の規則正しい配列内にある。サブピクセルピッチはｓとして示される。いくつかの実施形態では、サブピクセルピッチは１μｍ〜１００μｍの範囲内であり、いくつかの実施形態では、２μｍ〜２０μｍの範囲内である。４個のサブピクセルが一緒になってピクセル２２０を形成する。図示の実施形態では、サブピクセル２１０は矩形を有する。円形、楕円形、正方形、または多角形等の他のサブピクセル形状を使用することもできる。図中、印刷方向はｘとして示される。印刷方向に垂直な横方向への移動は、ｙ方向での移動として定義される。
【００４４】
本明細書に記載のプロセスでは、４色のサブピクセルの行の規則正しい配列が、ワークピース上に形成される。４色のうち、ｑ色が印刷され、ｒ色が非印刷プロセスにより形成される。サブピクセルはサブピクセルピッチｓを有する。プロセスは、
（１）ノズル間隔ｐを有する行内に配置されたｚ本のノズルを有する印刷ヘッドを設けることであって、ｚ＝４ｎ1であり、ｐ＝３ｓであり、印刷ヘッドはワークピースに対して第１の位置にある、印刷ヘッドを設けること、
（２）ｑ印刷色のそれぞれに１つずつ、ｑ個の異なる印刷インクを提供すること、
（３）規則正しい交互パターンで印刷インクのそれぞれをノズルに供給すること、
（４）印刷ヘッドを使用して、第１の組のｚサブピクセル行を印刷すること、
（５）移動させること、および第１の印刷パターンで印刷することであって、
（ａ）ワークピースを印刷ヘッドに対して距離ｄ1（但し、ｄ1＝４ｎ2ｓである）だけ横方向に移動させること、
（ｂ）印刷ヘッドを使用してｚサブピクセル行の組を印刷すること
を含む、移動させること、および第１の印刷パターンで印刷すること、
（６）移動させること、および第２の印刷パターンで印刷することであって、
（ｃ）ワークピースを印刷ヘッドに対して距離ｄ2（但し、ｄ2＝ｄ1である）だけ横方向に移動させること、
（ｄ）印刷ヘッドを使用してｚサブピクセル行の組を印刷すること
を含む、移動させること、および第２の印刷パターンで印刷すること、
（７）移動させること、および第３の印刷パターンで印刷することであって、
（ｅ）ワークピースを印刷ヘッドに対して距離ｄ3（ｄ3は、ｄ1＋ｄ2＋ｄ3＝ｐｚであるようにｄ3＝４ｎ3ｓである）だけ横方向に移動させること、
（ｆ）印刷ヘッドを使用してｚサブピクセル行の組を印刷すること
を含む、移動させること、および第３の印刷パターンで印刷すること、
（８）ステップ（５）〜（７）を同じ順序で複数回繰り返すこと、および
（９）ｒ色を非印刷方法で塗布すること
を含み、
ｎ1は０よりも大きな整数であり、
ｎ2は、３の倍数ではなく、かつｎ2≦ｎ1であるような、０よりも大きな整数であり、
ｎ3は、２ｎ2＋ｎ3＝３ｎ1であるような整数であり、
ｑは１〜４の整数であり、
ｒはｑ＋ｒ＝４であるような整数であり、
パターンは、（ｉ）第１の印刷パターンの後、第２の印刷パターンが続き、次に第３の印刷パターンが続く順序、または（ｉｉ）第３の印刷パターンの後、第１の印刷パターンが続き、次に第２の印刷パターンが続く順序で実行される。
【００４５】
形成すべき色の数は４である。いくつかの実施形態では、色は赤、緑、青、および白（「Ｒ，Ｇ，Ｂ，Ｗ」）である。いくつかの実施形態では、色は赤、緑、青、および黄（「Ｒ，Ｇ，Ｂ，Ｙ」）である。いくつかの実施形態では、色は黄、マゼンタ、シアン、および黒（「Ｙ，Ｍ，Ｃ，Ｋ」）である。４色のうち、ｑ色は印刷により形成され、ｒ色は非印刷プロセスにより形成される。いくつかの実施形態では、ｑ＝４であり、ｒ＝０であり、４色すべてが印刷される。いくつかの実施形態では、ｑ＝３であり、ｒ＝１である。この場合、色のうちの３色が印刷され、４番目の色は非印刷方法により塗布される。第４の色は、印刷の前または後に塗布することができる。いくつかの実施形態では、４番目の色は、３色が印刷された後に塗布される。
【００４６】
印刷ヘッドはｚ本のノズルを有する。４色すべてが印刷される場合、ｚ本すべてのノズルが存在し、インクが供給される。１色または複数色が非印刷方法により塗布される場合、非印刷色のために、ノズルスペースが存在する。ノズルは存在し得るが、インクが供給されないか、またはノズルが物理的になくてもよい。印刷パターンではノズルスペースはノズルとしてカウントされる。
【００４７】
ノズルの数ｚは、色の数４の倍数である。したがって、ｚ＝４ｎ1であり、ｎ1は０よりも大きな整数である。いくつかの実施形態では、ｎ1は少なくとも２である。いくつかの実施形態では、ｎ1＝３〜９であり、いくつかの実施形態では、５〜８である。
【００４８】
印刷ヘッドは、ワークピース上方の第１の印刷位置において開始する。この第１の位置はＡ１と呼ばれ、後の項において考察する。いくつかの実施形態では、プリンタは、図２の２０１に示されるように、ワークピースの一縁部に位置決めされ、第１のサブピクセル行上に位置合わせされる。ノズルは、サブピクセルピッチの３倍に等しい距離ｐだけ離間され、それにより、すべてのノズルがサブピクセル行内で印刷するように位置合わせされる。したがって、ノズルはサブピクセルピッチｓの倍数で離間され、ｐ＝３ｓである。用語「数の倍数」は、その数を０よりも大きな数で乗算した値を意味する。
【００４９】
プリンタは、図２に示されるように、ｘ方向においてワークピースを横切り、第１の組のサブピクセル行を印刷する。印刷される行数は、印刷ヘッド上のノズルの数に等しい＝ｚ。堆積する色の行数は、色が供給されるノズルの数に等しい。
【００５０】
第１の組の行の印刷を完了した後、第１の印刷パターンがステップ（５）において形成される。印刷ヘッドは、ワークピースを横方向に横切り、隣接する印刷位置に移動する。この位置はＡ２と呼ばれ、後の項において考察する。この移動は、ワークピースの平面に対して平行であり、行方向に直交するｙ方向においてである。移動距離ｄ1も、サブピクセルピッチｓの倍数であり、４ｎ2（ｓ）に等しい。数ｎ2は、３の倍数ではない整数であり、ｎ1以下である。したがって、印刷ヘッドの横方向移動は、３ｓであるノズル間隔ｐの倍数ではない。仮に横方向移動がノズル間隔の倍数であったならば、いくつかの行が、前の行が印刷された箇所に重複する恐れがある。次に、１組のｚ行が位置Ａ２から印刷される。印刷は、第１の印刷とは逆の方向であってもよく、または印刷ヘッドは、第１の印刷と同じ側に戻り、同じ方向で印刷してもよい。これは、機器およびソフトウェアの設計によって決まる。これにより、第１の印刷パターンの印刷が完了する。
【００５１】
第１の印刷パターンの完了後、第２の印刷パターンがステップ（６）において形成される。印刷ヘッドは、ワークピースを横方向に横切り、隣接する印刷位置に移動する。この位置はＡ３と呼ばれ、後の項において考察する。この移動は、ワークピースの平面に対して平行であり、行方向において直交するｙ方向においてである。移動距離ｄ2はｄ1に等しい。
【００５２】
次に、別の組のｚ行が位置Ａ３から印刷される。印刷は、第２の印刷とは逆の方向であってもよく、または印刷ヘッドは、第１の印刷と同じ側に戻り、同じ方向で印刷してもよい。これは、機器およびソフトウェアの設計によって決まる。これにより、第２の印刷パターンの印刷が完了する。
【００５３】
第１の印刷パターンの完了後、第３の印刷パターンがステップ（７）において形成される。印刷ヘッドは、ワークピースを横方向に横切り、隣接する印刷位置に移動する。この位置はＡ４と呼ばれ、後の項において考察する。この移動は、ワークピースの平面に対して平行であり、行方向に直交するｙ方向においてである。移動距離ｄ3は、サブピクセルピッチｓの倍数であり、４ｎ3（ｓ）に等しい。第１、第２、および第３の横方向移動の和ｄ1＋ｄ2＋ｄ3は、ｐｚに等しい。ｐ＝３ｓであり、ｚ＝４ｎ1であるため、ｎ1、ｎ2、およびｎ3の関係は以下のように導出することができる。
ｄ1  ＋  ｄ2  ＋  ｄ3  ＝  ｐｚ
（４ｎ2ｓ）  ＋  （４ｎ2ｓ）  ＋  （４ｎ3ｓ）  ＝  （３ｓ）（４ｎ1）
ｎ2ｓ  ＋  ｎ2ｓ  ＋  ｎ3ｓ  ＝  ３ｓ（ｎ1）
ｎ2  ＋  ｎ2  ＋  ｎ3  ＝  ３ｎ1
２ｎ2  ＋  ｎ3  ＝  ３ｎ1
【００５４】
次に、別の組のｚ行が位置Ａ４から印刷される。印刷は、第２の印刷とは逆の方向であってもよく、または印刷ヘッドは、第１の印刷と同じ側に戻り、同じ方向で印刷してもよい。これは、機器およびソフトウェアの設計によって決まる。これにより、第３の印刷パターンの印刷が完了する。
【００５５】
ステップ（８）において、所望の数のサブピクセル行が印刷されるまで、第１、第２、および第３の印刷パターンを印刷するステップが、同じ順序で複数回繰り返される。プロセスは、任意の印刷ステップ後に終了することができる。
【００５６】
プリンタの位置を決める順序は、（ｉ）第１のパターンが最初で、次に第２および第３のパターンが続くか、または（ｉｉ）第３のパターンが最初で、次に第１および第２のパターンが続く順序であることができる。最初の場合では、位置Ａ2は位置Ａ1から距離ｄ1だけ横方向に離間され、位置Ａ３は位置Ａ２から距離ｄ2だけ横方向に離間され、位置Ａ４は位置Ａ３から距離ｄ3だけ横方向に離間される。２番目の場合、位置Ａ２は位置Ａ１から距離ｄ3だけ横方向に離間され、位置Ａ３は位置Ａ２から距離ｄ1だけ横方向に離間され、位置Ａ４は位置Ａ３から距離ｄ2だけ横方向に離間される。順序は（ｉ）であるか、それとも（ｉｉ）であるかに関わらず、同じ順序がステップ（８）において、すべての繰り返しに対して維持される。
【００５７】
実際には、空間的な位置決めは印刷パターンにより決まるが、サブピクセル行を任意の順序で印刷することができる。ワークピースに対する印刷ヘッドの移動については上述した移動になり、サブピクセル行は位置Ａ１、Ａ２、Ａ３等から印刷を開始するが、必ずしも順番通りである必要はない。例えば、プリンタは位置Ａ１から印刷し、次にＡ４から、次にＡ２から、次にＡ５等から印刷し得る。印刷の厳密な順序は一般に、プリンタの最も効率的な利用方法によって決まることになる。
【００５８】
ステップ（９）において、ｒ色は非印刷堆積方法により塗布される。ｒ＝０の場合、ステップ（９）はない。非印刷方法の例としては、蒸着、熱転写、およびスピンコーティング、グラビアコーティング、カーテンコーティング、浸漬被覆、スロットダイコーティング、および吹き付け塗装等の連続液体堆積技法が挙げられるが、これらに限定されない。これらの場合、ｒ＞０のとき、印刷は、印刷ステップの前または後に塗布し得る非印刷色のオープンスペースを残さなければならない。印刷パターンではオープンスペースは色としてカウントされる。ｒ＞１であり、２色以上が非印刷堆積方法により塗布される場合、同じまたは異なる非印刷方法を異なる非印刷色に使用し得る。
【００５９】
例示的で非限定的な組の異なる数のノズルのｄ1、ｄ2、およびｄ3の異なる組み合わせの概要を表１に付与する。表は、４〜３２本のノズルを有する印刷ヘッドを示す。ノズル数が４の倍数である限り、異なるノズル数を使用することもできることを理解されたい。
【００６０】
【表１】
0005576482.tif 000002
【００６１】
表から、ノズルの数、ここではｎ1が３の倍数ではない場合のみ、ｄ1＝ｄ2＝ｄ3が発生することが分かる。
【００６２】
４．電子装置
本明細書に記載の印刷方法を使用できる装置は、有機電子装置を含む。用語「有機電子装置」または時には単に「電子装置」は、１つまたは複数の有機半導体層または材料を含む装置を意味することを意図する。有機電子装置は、（１）電気エネルギーを放射に変換する装置（例えば、発光ダイオード、発光ダイオードディスプレイ、ダイオードレーザ、または照明パネル）、（２）電子プロセスを使用して信号を検出する装置（例えば、光検出器、光伝導セル、フォトレジスタ、光スイッチ、光トランジスタ、光電管、赤外線（「ＩＲ」）検出器、またはバイオセンサ）、（３）放射を電気エネルギーに変換する装置（例えば、光起電装置または太陽電池）、（４）１つまたは複数の有機半導体層を含む１つまたは複数の電子構成要素を含む装置（例えば、トランジスタまたはダイオード）、あるいは項目（１）〜（４）内の装置の任意の組み合わせを含むが、これらに限定されない。
【００６３】
そのような装置では、有機活性層が２つの電気接点層の間に挟まれる。有機電子装置構造の一例はＯＬＥＤである。この装置は、陽極層である第１の電気接点層と、陰極層である第２の電気接点層とを有する。電気接点層のうちの少なくとも一方は、電気接点層に光を通すことができるような透光性を有する。光活性層が間にある。追加の層もオプションとして存在し得る。陽極に隣接して、バッファ層があり得る。バッファ層に隣接して、正孔輸送材料を含む正孔輸送層があり得る。陰極に隣接して、電子輸送材料を含む電子輸送層があり得る。オプションとして、装置は、陽極に隣接して１つまたは複数の追加の正孔注入層または正孔輸送層を使用し得、かつ／または陰極に隣接して１つまたは複数の追加の電子注入層または電子輸送層を使用し得る。
【００６４】
そのような装置において、有機エレクトロルミネセンス構成要素を活性構成要素として使用して、必要な色を提供することが周知である。本明細書に記載の印刷方法は、異なる色を有するエレクトロルミネセンス材料を含む液体組成物の印刷に適する。そのような材料は、小分子有機蛍光化合物、蛍光・リン光性金属錯体、共役ポリマー、およびこれらの混合物を含むが、これらに限定されない。蛍光化合物の例としては、クリセン類、ピレン類、ペリレン類、ルビレン類、クマリン類、アントラセン類、チアジアゾール類、これらの誘導体、およびこれらの混合物が挙げられるが、これらに限定されない。金属錯体の例としては、トリス（８−ヒドロキシキノレート）アルミニウム（Ａｌｑ３）等の金属キレートオキシノイド化合物；Ｐｅｔｒｏｖ等の米国特許第６，６７０，６４５号明細書ならびにＰＣＴ公開出願である国際公開第０３／０６３５５５号パンフレットおよび国際公開第２００４／０１６７１０号パンフレットに開示されているイリジウムとフェニルピリジン、フェニルキノリン、またはフェニルピリミジンリガンドとの錯体等のシクロメタル化イリジウムおよび白金エレクトロルミネセンス化合物；例えば、ＰＣＴ公開出願である国際公開第０３／００８４２４号パンフレット、国際公開第０３／０９１６８８号パンフレット、および国際公開第０３／０４０２５７号パンフレットに記載されている有機金属錯体、ならびにこれらの混合物が挙げられるが、これらに限定されない。場合によっては、処理および／または電子特性を向上させるために、小分子蛍光材料または有機金属系材料が、ホスト材料を有するドーパントとして堆積する。共役ポリマーの例としては、ポリ（フェニレンビニレン類）、ポリフルオレン類、ポリ（スピロビフルオレン類）、ポリチオフェン類、ポリ（ｐ−フェニレン類）、それらのコポリマー、およびそれらの混合物が挙げられるが、これらに限定されない。
【００６５】
印刷インクを形成するために、上記材料は、適した液体組成物中に溶解または分散する。特定の化合物または関連する化合物群に適した溶媒は、当業者により容易に特定することができる。用途によっては、化合物が非水性溶媒に溶解することが望ましい。そのような非水溶性溶媒は、Ｃ1〜Ｃ20アルコール類、エーテル類、および酸エステル類等、比較的極性を有することができ、またはトルエン、キシレン類、トリフルオロトルエン等のＣ1〜Ｃ12アルカンもしくは芳香族等、比較的極性を有さなくてもよい。新しい化合物を含む、本明細書に説明するような溶液または分散としての液体組成物の作成での使用に適した他の液体としては、有機塩素化合物（塩化メチレン、クロロホルム、クロロベンゼン等）、芳香族炭化水素（置換および非置換のトルエン類およびキシレン類等）、トリフルオロトルエンを含む）、極性溶媒（テトラヒドロフラン（ＴＨＰ）、Ｎ−メチルピロリドン等）、エステル類（酢酸エチル等）、アルコール類（イソプロパノール）、ケトン類（シクロペンタジエン）、およびこれらの混合物が挙げられるが、これらに限定されない。光活性材料に適した溶媒は、例えば、公開されたＰＣＴ出願である国際公開第２００７／１４５９７９号パンフレットに記載されている。
【実施例】
【００６６】
本明細書に記載の概念について、特許請求の範囲に記載される本発明の範囲を限定しない以下の実施例および関連付けられた図においてさらに説明する。
【００６７】
実施例１
実施例１を図３に示す。４色がＭ１、Ｍ２、Ｍ３、およびＭ４として示され、４色すべてが印刷される。８本のノズルが印刷ヘッド上にあり、ノズルの間隔はサブピクセルピッチ３個分である。したがって、この実施例では、ｑ＝４、ｒ＝０、ｚ＝８、ｎ1＝２である。
【００６８】
色は、「プリンタ」と記された列の下に示されるように配置される。印刷ヘッドは、色Ｍ１を有する第１のノズルがサブピクセル行１の上方にある状態で第１の縁部に位置決めされる。これは、Ａ１として示される第１の印刷位置である。位置Ａ１は、第１のノズルが上方に配置されるサブピクセル行として定義される。プリンタは、ワークピースを横切って行方向に印刷して、サブピクセル行１にＭ１色の行、サブピクセル行４にＭ２色の行、サブピクセル行７にＭ３色の行、サブピクセル行１０にＭ４色の行、サブピクセル行１３にＭ１色の行、サブピクセル行１６にＭ２色の行、サブピクセル行１９にＭ３色の行、およびサブピクセル行２２にＭ４色の行を形成する。これは、印刷＃１と記される列に示される。明確にするために、各色に１個のみのサブピクセルが示されるが、各サブピクセルはサブピクセル行全体を表す。
【００６９】
この実施例では、印刷パターンは、（ｉ）第１の印刷パターンの後、第２の印刷パターンが続き、次に第３の印刷パターンが続く順序で実行される。したがって、次のステップは、第１の印刷パターンを形成すること：ステップ（５）である。プリンタは、サブピクセル４ｎ2個分である距離ｄ1だけ横方向にシフトする。この場合、ｎ2＝１であり、ｄ1＝４ｓである。これは、プリンタの位置Ａ２である。次に、印刷＃２と記された列に示されるように、プリンタは別の組の行を印刷する：サブピクセル行５にＭ１色の行、サブピクセル行８にＭ２色の行、サブピクセル行１１にＭ３色の行、サブピクセル行１４にＭ４色の行、サブピクセル行１７にＭ１色の行、サブピクセル行２０にＭ２色の行、サブピクセル行２３にＭ３色の行、およびサブピクセル行２６にＭ４色の行。印刷＃２は、明確にするために、印刷＃１の右側にシフトして示される。印刷＃１および印刷＃２は両方とも、他のすべての印刷番号と同様に、ワークピースを横切って印刷されたサブピクセルの完全な行を表す。これにより、第１の印刷パターンが完了する。
【００７０】
次のステップは、第２の印刷パターンを形成すること：ステップ（６）である。プリンタは、サブピクセルｄ2個分だけ横方向にシフトし、ｄ2はｄ1に等しい。これは、プリンタのＡ３の位置である。次に、印刷＃３と記された列に示されるように、プリンタは第３の組の行を印刷する：サブピクセル行９にＭ１色の行、サブピクセル行１２にＭ２色の行、サブピクセル行１３にＭ３色の行、サブピクセル行１８にＭ４色の行、サブピクセル行２１にＭ１色の行、サブピクセル行２４にＭ２色の行、サブピクセル行２７にＭ３色の行、およびサブピクセル行３０にＭ４色の行。これにより、第２の印刷パターンが完了する。
【００７１】
次のステップは、第３の印刷パターンを形成すること：ステップ（７）である。プリンタは、サブピクセルｄ3個分だけ横方向にシフトし、ｄ3はｐｚ−２ｄ1に等しい。この場合、ｐ＝３ｓ、ｚ＝８、ｄ1＝４ｓであるため、ｄ3＝３ｓ・８−２・４ｓ＝１６ｓである。これは、プリンタのＡ４の位置である。次に、印刷＃４と記された列に示されるように、プリンタは第３の組の行を印刷する：サブピクセル行２５にＭ１色の行、サブピクセル行２８にＭ２色の行、サブピクセル行３１にＭ３色の行、サブピクセル行３４にＭ４色の行、サブピクセル行３７にＭ１色の行、サブピクセル行４０にＭ２色の行、サブピクセル行４３にＭ３色の行、およびサブピクセル行４６にＭ４色の行。これにより、第３の印刷パターンが完了する。
【００７２】
次のステップ：ステップ（８）は、ステップ（５）〜（７）を同じ順序で繰り返すことである。ステップ（５）を繰り返すために、プリンタは距離ｄ1＝４ｓだけ横方向にシフトする。これはプリンタの位置Ａ５である。次に、印刷＃５と記された列に示されるように、プリンタは別の組の行を印刷する：サブピクセル行２９にＭ１色の行、サブピクセル行３２にＭ２色の行、サブピクセル行３５にＭ３色の行、サブピクセル行３８にＭ４色の行、サブピクセル行４１にＭ１色の行、サブピクセル行４４にＭ２色の行、サブピクセル行４７にＭ３色の行、およびサブピクセル行５０にＭ４色の行。
【００７３】
ステップ（６）を繰り返すために、プリンタは距離ｄ2＝ｄ1＝４ｓだけ横方向にシフトする。これはプリンタの位置Ａ６である。次に、印刷＃６と記された列に示されるように、プリンタは別の組の行を印刷する：サブピクセル行３３にＭ１色の行、サブピクセル行３６にＭ２色の行、サブピクセル行３９にＭ３色の行、サブピクセル行４２にＭ４色の行、サブピクセル行４５にＭ１色の行、サブピクセル行４８にＭ２色の行、サブピクセル行５１にＭ３色の行、およびサブピクセル行５４にＭ４色の行。
【００７４】
ステップ（７）を繰り返すために、プリンタは距離ｄ3＝１６ｓだけ横方向にシフトする。これはプリンタの位置Ａ７である。次に、印刷＃７と記された列に示されるように、プリンタは別の組の行を印刷する：サブピクセル行４９にＭ１色の行、サブピクセル行５２にＭ２色の行、サブピクセル行５５にＭ３色の行、サブピクセル行５８にＭ４色の行、サブピクセル行６１にＭ１色の行、サブピクセル行６４にＭ２色の行、サブピクセル行６７にＭ３色の行、およびサブピクセル行７０にＭ４色の行。
【００７５】
この時点で、プリンタは、１組がサブピクセル８行分で、７組のサブピクセル行を印刷しており、これは５４のサブピクセル行に等しい。この時点で、印刷はワークピースの逆縁部に達し、印刷は完了する。実際には、大半の装置で、数百のサブピクセル行以上までのはるかに多数の行が必要であり、これらの行が類似する様式で印刷されることになる。図中の５４のサブピクセル行は、単なる例示として示される。
【００７６】
印刷結果は、「パターン」と記される列中に示される。第１の縁部におけるサブピクセル行２、３、および６ならびに逆縁部におけるサブピクセル行５３、５６、５７、５９、６０、６２、６３、６５、６６、６８、および６９が色を有さないことが分かる。１組がサブピクセル４個分である完全な組が、サブピクセル行７からサブピクセル行５０まで存在する。
【００７７】
実施例２
実施例２を図４に示す。４色がＭ１、Ｍ２、Ｍ３、およびＭ４として示され、４色すべてが印刷される。８本のノズルが印刷ヘッド上にあり、ノズルの間隔はサブピクセルピッチ３個分である。したがって、実施例１と同様に、ｑ＝４、ｒ＝０、ｚ＝８、ｎ1＝２である。
【００７８】
色は、「プリンタ」と記された列の下に示されるように配置される。印刷ヘッドは、色Ｍ１を有する第１のノズルがサブピクセル行１の上方にある状態で第１の縁部に位置決めされる。これは、Ａ１として示される第１の印刷位置である。プリンタは、ワークピースを横切って行方向に印刷して、サブピクセル行１にＭ１色の行、サブピクセル行４にＭ２色の行、サブピクセル行７にＭ３色の行、サブピクセル行１０にＭ４色の行、サブピクセル行１３にＭ１色の行、サブピクセル行１６にＭ２色の行、サブピクセル行１９にＭ３色の行、およびサブピクセル行２２にＭ４色の行を形成する。これは、印刷＃１と記される列に示される。明確にするために、各色に１個のみのサブピクセルが示されるが、各サブピクセルはサブピクセル行全体を表す。
【００７９】
この実施例では、印刷パターンは、（ｉｉ）第３の印刷パターンの後、第１の印刷パターンが続き、次に第２の印刷パターンが続く順序で実行される。したがって、この実施例での次のステップは、第３の印刷パターンを形成すること：ステップ（７）である。実施例１では、プリンタはまず、距離ｄ1だけシフトした。図４の実施例では、プリンタはまず、距離だけ横方向にシフトし、ｄ3はｐｚ−２ｄ1に等しい。この場合、ｎ2＝１、ｄ1＝４ｓであるため、ｄ3＝３ｓ・８−２・４ｓ＝１６ｓである。これは、プリンタのＡ２の位置である。次に、印刷＃２と記された列に示されるように、プリンタは別の組の行を印刷する：サブピクセル行１７にＭ１色の行、サブピクセル行２０にＭ２色の行、サブピクセル行２３にＭ３色の行、サブピクセル行２６にＭ４色の行、サブピクセル行２９にＭ１色の行、サブピクセル行３２にＭ２色の行、サブピクセル行３５にＭ３色の行、およびサブピクセル行３８にＭ４色の行。印刷＃２は、明確にするために、印刷＃１の右側にシフトして示される。印刷＃１および印刷＃２は両方とも、他のすべての印刷番号と同様に、ワークピースを横切って印刷されたサブピクセルの完全な行を表す。これにより、第３の印刷パターンが完了する。
【００８０】
次のステップは、第１の印刷パターンを形成すること：ステップ（５）である。プリンタは、サブピクセルｄ1個分だけ横方向にシフトし、ｎ2＝１、ｄ1＝４ｓである。これは、プリンタの位置Ａ３である。次に、印刷＃３と記された列に示されるように、プリンタは第３の組の行を印刷する：サブピクセル行２１にＭ１色の行、サブピクセル行２４にＭ２色の行、サブピクセル行２７にＭ３色の行、サブピクセル行３０にＭ４色の行、サブピクセル行３３にＭ１色の行、サブピクセル行３６にＭ２色の行、サブピクセル行３９にＭ３色の行、サブピクセル行４２にＭ４色の行。これにより、第１の印刷パターンが完了する。
【００８１】
次のステップは、第２の印刷パターンを形成すること：ステップ（６）である。プリンタは、サブピクセルｄ2個分だけ横方向にシフトし、ｄ2＝ｄ1＝４ｓである。これは、プリンタのＡ４の位置である。次に、印刷＃４と記された列に示されるように、プリンタは第３の組の行を印刷する：サブピクセル行２５にＭ１色の行、サブピクセル行２８にＭ２色の行、サブピクセル行３１にＭ３色の行、サブピクセル行３４にＭ４色の行、サブピクセル行３７にＭ１色の行、サブピクセル行４０にＭ２色の行、サブピクセル行４３にＭ３色の行、およびサブピクセル行４６にＭ４色の行。これにより、第３の印刷パターンが完了する。
【００８２】
次のステップ：ステップ（８）は、ステップ（７）、（５）、および（６）を同じ順序で繰り返すことである。ステップ（７）を繰り返すために、プリンタは距離ｄ3＝１６ｓだけ横方向にシフトする。これはプリンタの位置Ａ５である。次に、印刷＃５と記された列に示されるように、プリンタは別の組の行を印刷する：サブピクセル行４１および５３にＭ１色の行、サブピクセル行４４および５６にＭ２色の行、サブピクセル行４７および５９にＭ３色の行、ならびにサブピクセル行５０および６２にＭ４色の行。
【００８３】
ステップ（５）を繰り返すために、プリンタは距離ｄ1＝４ｓだけ横方向にシフトする。これはプリンタの位置Ａ６である。次に、印刷＃６と記された列に示されるように、プリンタは別の組の行を印刷する：サブピクセル行４５および５７にＭ１色の行、サブピクセル行４８および６０にＭ２色の行、サブピクセル行５１および６３にＭ３色の行、ならびにサブピクセル行５４および６６にＭ４色の行。
【００８４】
ステップ（６）を繰り返すために、プリンタは距離ｄ2＝ｄ1＝４ｓだけ横方向にシフトする。これはプリンタの位置Ａ７である。次に、印刷＃７と記された列に示されるように、プリンタは別の組の行を印刷する：サブピクセル行４９および６１にＭ１色の行、サブピクセル行５２および６４にＭ２色の行、サブピクセル行５５および６７にＭ３色の行、ならびにサブピクセル行５８および７０にＭ４色の行。
【００８５】
この時点で、プリンタは、１組がサブピクセル８行分で、７組のサブピクセル行を印刷しており、これは５４のサブピクセル行に等しい。上述したように、大半の装置で、数百のサブピクセル行以上までのはるかに多数の行が必要であり、図中の５４のサブピクセル行は、単なる例示として示される。
【００８６】
印刷結果は、「パターン」と記される列中に示される。第１の縁部におけるサブピクセル行２、３、５、６、８、９、１１、１２、１４、１５、および１８ならびに逆縁部におけるサブピクセル行６５、６８、および６９が色を有さないことが分かる。１組がサブピクセル４個分である完全な組が、サブピクセル行１９からサブピクセル行６２まで存在する。図３と図４とを比較すると、実施例２の印刷方式の場合、図４の前縁部に色を有さないはるかに多くのサブピクセルがあることが分かる。実施例１の印刷方式の場合、図３では逆縁部に色を有さないサブピクセルが多い。いくつかの実施形態では、実施例１の印刷パターン順が使用されるが、ステップ（５）またはステップ（６）の繰り返し後に終了する。印刷方式の選択は一般に、装置の設計に依存することになる。
【００８７】
実施例３
実施例３を図５に示す。４色がＭ１、Ｍ２、Ｍ３、およびＭ４として示され、４色すべてが印刷される。実施例１および実施例２と同様に、８本のノズルが印刷ヘッド上にあり、ノズルの間隔はサブピクセルピッチ３個分である。したがって、ｑ＝４、ｒ＝０、ｚ＝８、ｎ1＝２である。
【００８８】
色は、「プリンタ」と記された列の下に示されるように配置される。印刷ヘッドは、色Ｍ１を有する第１のノズルがサブピクセル行１の上方にある状態で第１の縁部に位置決めされる。これは、Ａ１として示される第１の印刷位置である。プリンタは、ワークピースを横切って行方向に印刷して、サブピクセル行１にＭ１色の行、サブピクセル行４にＭ２色の行、サブピクセル行７にＭ３色の行、サブピクセル行１０にＭ４色の行、サブピクセル行１３にＭ１色の行、サブピクセル行１６にＭ２色の行、サブピクセル行１９にＭ３色の行、およびサブピクセル行２２にＭ４色の行を形成する。これは、印刷＃１と記される列に示される。明確にするために、各色に１個のみのサブピクセルが示されるが、各サブピクセルはサブピクセル行全体を表す。
【００８９】
この実施例では、印刷パターンは、（ｉ）第１の印刷パターンの後、第２の印刷パターンが続き、次に第３の印刷パターンが続く順序で実行される。したがって、次のステップは、第１の印刷パターンを形成することである。プリンタは、サブピクセル４ｎ2個分である距離ｄ1だけ横方向にシフトする。この場合、ｎ2＝２であり、ｄ1＝８ｓである。これは、プリンタの位置Ａ２である。次に、印刷＃２と記された列に示されるように、プリンタは別の組の行を印刷する：サブピクセル行９および２１にＭ１色の行、サブピクセル行１２および２４にＭ２色の行、サブピクセル行１５および２７にＭ３色の行、ならびにサブピクセル行１８および３０にＭ４色の行。印刷＃２は、明確にするために、印刷＃１の右側にシフトして示される。印刷＃１および印刷＃２は両方とも、他のすべての印刷番号と同様に、ワークピースを横切って印刷されたサブピクセルの完全な行を表す。これにより、第１の印刷パターンが完了する。
【００９０】
次のステップは、第２の印刷パターンを形成することである。プリンタは、サブピクセルｄ2個分だけ横方向にシフトし、ｄ2はｄ1＝８ｓに等しい。これは、プリンタのＡ３の位置である。次に、印刷＃３と記された列に示されるように、プリンタは第３の組の行を印刷する：サブピクセル行１７および２９にＭ１色の行、サブピクセル行２０および３２にＭ２色の行、サブピクセル行２３および３５にＭ３色の行、ならびにサブピクセル行２６および３８にＭ４色の行。これにより、第２の印刷パターンが完了する。
【００９１】
次のステップは、第３の印刷パターンを形成することである。プリンタは、サブピクセルｄ3個分だけ横方向にシフトし、ｄ3はｐｚ−２ｄ1に等しい。この場合、ｐ＝３ｓ、ｚ＝８、ｄ1＝８ｓであるため、ｄ3＝３ｓ・８−２・８ｓ＝８ｓである。したがって、この実施例では、ｄ1＝ｄ2＝ｄ3であり、すべての横方向シフトは８ｓの距離になる。これは、プリンタのＡ４の位置である。次に、印刷＃４と記された列に示されるように、プリンタは第３の組の行を印刷する：サブピクセル行２５および３７にＭ１色の行、サブピクセル行２８および４０にＭ２色の行、サブピクセル行３１および４３にＭ３色の行、ならびにサブピクセル行３４および４６にＭ４色の行。これにより、第３の印刷パターンが完了する。
【００９２】
この時点で、プリンタは、１組がサブピクセル８行分で、４組のサブピクセル行を印刷しており、これは３２のサブピクセル行に等しい。上述したように、大半の装置で、数百のサブピクセル行以上までのはるかに多数の行が必要であり、図中の３２のサブピクセル行は、単なる例示として示される。
【００９３】
印刷結果は、「パターン」と記される列中に示される。第１の縁部におけるサブピクセル行２、３、５、６、８、１１、および１４ならびに逆縁部におけるサブピクセル行３３、３６、３９、４１、４２、４４、および４５が色を有さないことが分かる。１組がサブピクセル４個分である完全な組が、サブピクセル行１５からサブピクセル行３０まで存在する。
【００９４】
実施例４
実施例４を図６に示す。４色がＭ１、Ｍ２、Ｍ３、およびＭ４として示され、４色すべてが印刷される。１２本のノズルが印刷ヘッド上にあり、ノズルの間隔はサブピクセルピッチ３個分である。したがって、ｑ＝４、ｒ＝０、ｚ＝１２、ｎ1＝３である。
【００９５】
色は、「プリンタ」と記された列の下に示されるように配置される。印刷ヘッドは、色Ｍ１を有する第１のノズルがサブピクセル行１の上方にある状態で第１の縁部に位置決めされる。これは、Ａ１として示される第１の印刷位置である。プリンタは、ワークピースを横切って行方向に印刷して、サブピクセル行１、１３、および２５にＭ１色の行、サブピクセル行４、１６、および２８にＭ２色の行、サブピクセル行７、１９、および３１にＭ３色の行、ならびにサブピクセル行１０、２２、および３４にＭ４色の行を形成する。これは、印刷＃１と記される列に示される。明確にするために、各色に１個のみのサブピクセルが示されるが、各サブピクセルはサブピクセル行全体を表す。
【００９６】
この実施例では、印刷パターンは、（ｉ）第１の印刷パターンの後、第２の印刷パターンが続き、次に第３の印刷パターンが続く順序で実行される。したがって、次のステップは、第１の印刷パターンを形成することである。プリンタは、サブピクセル４ｎ2個分である距離ｄ1だけ横方向にシフトする。この場合、ｎ2＝１であり、ｄ1＝４ｓである。これは、プリンタの位置Ａ２である。次に、印刷＃２と記された列に示されるように、プリンタは別の組の行を印刷する：サブピクセル行５、１７、および２９にＭ１色の行、サブピクセル行８、２０、および３２にＭ２色の行、サブピクセル行１１、２３、および３５にＭ３色の行、ならびにサブピクセル行１４、２６、および３８にＭ４色の行。印刷＃２は、明確にするために、印刷＃１の右側にシフトして示される。印刷＃１および印刷＃２は両方とも、他のすべての印刷番号と同様に、ワークピースを横切って印刷されたサブピクセルの完全な行を表す。これにより、第１の印刷パターンが完了する。
【００９７】
次のステップは、第２の印刷パターンを形成することである。プリンタは、サブピクセルｄ2個分だけ横方向にシフトし、ｄ2はｄ1に等しく、４ｓである。これは、プリンタのＡ３の位置である。次に、印刷＃３と記された列に示されるように、プリンタは別の組の行を印刷する：サブピクセル行９、２１、および３３にＭ１色の行、サブピクセル行１２、２４、および３６にＭ２色の行、サブピクセル行１５、２７、および３９にＭ３色の行、ならびにサブピクセル行１８、３０、および４２にＭ４色の行。
【００９８】
次のステップは、第３の印刷パターンを形成することである。プリンタは、サブピクセルｄ3個分だけ横方向にシフトし、ｄ3はｐｚ−２ｄ1に等しい。この場合、ｐ＝３ｓ、ｚ＝１２、ｄ1＝４ｓであるため、ｄ3＝３ｓ・１２−２・４ｓ＝２８ｓである。これは、プリンタのＡ４の位置である。次に、印刷＃４と記された列に示されるように、プリンタは第３の組の行を印刷する：サブピクセル行３７、４９、および６１にＭ１色の行、サブピクセル行４０、５２、および６４にＭ２色の行、サブピクセル行４３、５５、および６７にＭ３色の行、ならびにサブピクセル行４６、５８、および７０にＭ４色の行。
【００９９】
次のステップは、第１の印刷パターンを繰り返すことである。プリンタは、サブピクセルｄ1＝４ｓ個分だけ横方向にシフトする。これは、プリンタの位置Ａ５である。次に、印刷＃５と記された列に示されるように、プリンタは第３の組の行を印刷する：サブピクセル行４１、５３、および６５にＭ１色の行、サブピクセル行４４、５６、および６８にＭ２色の行、サブピクセル行４７、５９、および７１にＭ３色の行、ならびにサブピクセル行５０、６２、および７４にＭ４色の行。
【０１００】
次のステップは、第２の印刷パターンを繰り返すことである。プリンタは、距離ｄ2＝ｄ1＝４ｓだけ横方向にシフトする。これは、プリンタの位置Ａ６である。次に、印刷＃６と記された列に示されるように、プリンタは第３の組の行を印刷する：サブピクセル行４５、５７、および６９にＭ１色の行、サブピクセル行４８、６０、および７２にＭ２色の行、サブピクセル行５１、６３、および７５にＭ３色の行、ならびにサブピクセル行５４、６６、および７８にＭ４色の行。
【０１０１】
この時点で、プリンタは、１組がサブピクセル１２行分で、６組のサブピクセル行を印刷しており、これは７２のサブピクセル行に等しい。上述したように、大半の装置で、数百のサブピクセル行以上までのはるかに多数の行が必要であり、図中の７２のサブピクセル行は、単なる例示として示される。
【０１０２】
印刷結果は、「パターン」と記される列中に示される。第１の縁部におけるサブピクセル行２、３、および６ならびに逆縁部におけるサブピクセル行７３、７６、および７７が色を有さないことが分かる。１組がサブピクセル４個分である完全な組が、サブピクセル行７からサブピクセル行７０まで存在する。
【０１０３】
実施例５
実施例５を図７に示す。４色がＭ１、Ｍ２、Ｍ３、およびＭ４として示され、４色すべてが印刷される。１２本のノズルが印刷ヘッド上にあり、ノズルの間隔はサブピクセルピッチ３個分である。したがって、ｑ＝４、ｒ＝０、ｚ＝１２、ｎ1＝３である。
【０１０４】
色は、「プリンタ」と記された列の下に示されるように配置される。印刷ヘッドは、色Ｍ１を有する第１のノズルがサブピクセル行１の上方にある状態で第１の縁部に位置決めされる。これは、Ａ１として示される第１の印刷位置である。プリンタは、ワークピースを横切って行方向に印刷して、サブピクセル行１、１３、および２５にＭ１色の行、サブピクセル行４、１６、および２８にＭ２色の行、サブピクセル行７、１９、および３１にＭ３色の行、サブピクセル行１０、２２、および３４にＭ４色の行を形成する。これは、印刷＃１と記される列に示される。明確にするために、各色に１個のみのサブピクセルが示されるが、各サブピクセルはサブピクセル行全体を表す。
【０１０５】
この実施例では、印刷パターンは、（ｉ）第１の印刷パターンの後、第２の印刷パターンが続き、次に第３の印刷パターンが続く順序で実行される。したがって、次のステップは、第１の印刷パターンを形成することである。プリンタは、サブピクセル４ｎ2個分である距離ｄ1だけ横方向にシフトする。この場合、ｎ2＝２であり、ｄ1＝８ｓである。これは、プリンタの位置Ａ２である。次に、印刷＃２と記された列に示されるように、プリンタは別の組の行を印刷する：サブピクセル行９、２１、および３３にＭ１色の行、サブピクセル行１２、２４、および３６にＭ２色の行、サブピクセル行１５、２７、および３９にＭ３色の行、ならびにサブピクセル行１８、３０、および４２にＭ４色の行。印刷＃２は、明確にするために、印刷＃１の右側にシフトして示される。印刷＃１および印刷＃２は両方とも、他のすべての印刷番号と同様に、ワークピースを横切って印刷されたサブピクセルの完全な行を表す。これにより、第１の印刷パターンが完了する。
【０１０６】
次のステップは、第２の印刷パターンを形成することである。プリンタは、サブピクセルｄ2個分だけ横方向にシフトし、ｄ2はｄ1に等しく、４ｓである。これは、プリンタのＡ３の位置である。次に、印刷＃３と記された列に示されるように、プリンタは別の組の行を印刷する：サブピクセル行１７、２９、および４１にＭ１色の行、サブピクセル行２０、３２、および４４にＭ２色の行、サブピクセル行２３、３５、および４７にＭ３色の行、ならびにサブピクセル行２６、３８、および５０にＭ４色の行。
【０１０７】
次のステップは、第３の印刷パターンを形成することである。プリンタは、サブピクセルｄ3個分だけ横方向にシフトし、ｄ3はｐｚ−２ｄ1に等しい。この場合、ｐ＝３ｓ、ｚ＝１２、ｄ1＝８ｓであるため、ｄ3＝３ｓ・１２−２・８ｓ＝２０ｓである。これは、プリンタのＡ４の位置である。次に、印刷＃４と記された列に示されるように、プリンタは第３の組の行を印刷する：サブピクセル行３７、４９、および６１にＭ１色の行、サブピクセル行４０、５２、および６４にＭ２色の行、サブピクセル行４３、５５、および６７にＭ３色の行、ならびにサブピクセル行４６、５８、および７０にＭ４色の行。
【０１０８】
次のステップは、第１の印刷パターンを繰り返すことである。プリンタは、距離ｄ1＝８ｓだけ横方向にシフトする。これは、プリンタの位置Ａ５である。次に、印刷＃５と記された列に示されるように、プリンタは第３の組の行を印刷する：サブピクセル行４５、５７、および６９にＭ１色の行、サブピクセル行４８、６０、および７２にＭ２色の行、サブピクセル行５１、６３、および７５にＭ３色の行、ならびにサブピクセル行５４、６６、および７８にＭ４色の行。
【０１０９】
次のステップは、第２の印刷パターンを繰り返すことである。プリンタは、距離ｄ2＝ｄ1＝８ｓだけ横方向にシフトする。これは、プリンタの位置Ａ６である。次に、印刷＃６と記された列に示されるように、プリンタは第３の組の行を印刷する：サブピクセル行５３、６５、および７７にＭ１色の行、サブピクセル行５６、６８、および８０にＭ２色の行、サブピクセル行５９、７１、および８３にＭ３色の行、ならびにサブピクセル行６２、７４、および８６にＭ４色の行。
【０１１０】
次に、印刷は、第３の印刷パターンを繰り返すことなく停止する。この時点で、プリンタは、１組がサブピクセル１２行分で、６組のサブピクセル行を印刷しており、これは７２のサブピクセル行に等しい。上述したように、大半の装置で、数百のサブピクセル行以上までのはるかに多数の行が必要であり、図中の７２のサブピクセル行は、単なる例示として示される。
【０１１１】
印刷結果は、「パターン」と記される列中に示される。第１の縁部におけるサブピクセル行２、３、５、６、８、１１、および１４ならびに逆縁部におけるサブピクセル行７３、７６、７９、８１、８２、８４、および８５が色を有さないことが分かる。１組がサブピクセル４個分である完全な組が、サブピクセル行１５からサブピクセル行７０まで存在する。
【０１１２】
実施例６
実施例６を図８に示す。この実施例では、すべての色が印刷される訳ではない。１色は、非印刷堆積方法を使用して堆積する。この実施例では、印刷は、印刷ステップ後に塗布される非印刷色のためのオープンスペースを残す。印刷パターンではオープンスペースは色としてカウントされる。
【０１１３】
図８に示されるように、３色Ｍ１、Ｍ２、およびＭ３と、図中、「空白」として示される、非印刷方法により堆積する第４の色のためのオープンスペースとがある。これは４色：Ｍ１、Ｍ２、Ｍ３、および空白としてカウントされる。Ｍ１を印刷する２本のノズル、Ｍ２を印刷する２本のノズル、Ｍ３を印刷する２本のノズル、および印刷しない２本のノズルがある。非印刷ノズルは、印刷ヘッド上に物理的に存在してもよく、または存在しなくてもよい。非印刷ノズルが存在しない場合、非印刷ノズルのためのスペースがあり、このスペースは、印刷パターンではノズルとしてカウントされる。したがって、これは合計で８本のノズルとしてカウントされる。各色に１つずつ異なる液体組成物およびオープンスペースのための液体組成物欠如が、規則正しい交互パターンで供給される。ノズルの間隔（印刷ノズルおよび非印刷ノズル）は、サブピクセルピッチ３個分である。したがって、この実施例では、ｑ＝３、ｒ＝１、ｚ＝８、ｎ1＝２である。
【０１１４】
色は、「プリンタ」と記された列の下に示されるように配置され、「空白」は非印刷ノズルを示す。印刷ヘッドは、色Ｍ１を有する第１のノズルがサブピクセル行１の上方にある状態で第１の縁部に位置決めされる。これは、Ａ１として示される第１の印刷位置である。プリンタは、ワークピースを横切って行方向に印刷して、サブピクセル行１にＭ１色の行、サブピクセル行４にＭ２色の行、サブピクセル行７に無色の行、サブピクセル行１０にＭ３色の行、サブピクセル行１３にＭ１色の行、サブピクセル行１６にＭ２色の行、サブピクセル行１９に無色の行、およびサブピクセル行２２にＭ３色の行を形成する。これは、印刷＃１と記される列に示される。明確にするために、各色に１個のみのサブピクセルが示されるが、各サブピクセルはサブピクセル行全体を表す。
【０１１５】
この実施例では、印刷パターンは、（ｉ）第１の印刷パターンの後、第２の印刷パターンが続き、次に第３の印刷パターンが続く順序で実行される。したがって、次のステップは、第１の印刷パターンを形成することである。プリンタは、サブピクセル４ｎ2個分である距離ｄ1だけ横方向にシフトする。この場合、ｎ2＝１であり、ｄ1＝４ｓである。これは、プリンタの位置Ａ２である。次に、印刷＃２と記された列に示されるように、プリンタは別の組の行を印刷する：サブピクセル行５にＭ１色の行、サブピクセル行８にＭ２色の行、サブピクセル行１１に無色の行、サブピクセル行１４にＭ３色の行、サブピクセル行１７にＭ１色の行、サブピクセル行２０にＭ２色の行、サブピクセル行２３に無色の行、およびサブピクセル行２６にＭ３色の行。印刷＃２は、明確にするために、印刷＃１の右側にシフトして示される。印刷＃１および印刷＃２は両方とも、他のすべての印刷番号と同様に、ワークピースを横切って印刷されたサブピクセルの完全な行を表す。これにより、第１の印刷パターンが完了する。
【０１１６】
次のステップは、第２の印刷パターンを形成することである。プリンタは、サブピクセルｄ2個分だけ横方向にシフトし、ｄ2はｄ1＝４ｓに等しい。これは、プリンタのＡ３の位置である。次に、印刷＃３と記された列に示されるように、プリンタは第３の組の行を印刷する：サブピクセル行９にＭ１色の行、サブピクセル行１２にＭ２色の行、サブピクセル行１５に無色の行、サブピクセル行１８にＭ３色の行、サブピクセル行２１にＭ１色の行、サブピクセル行２４にＭ２色の行、サブピクセル行２７に無色の行、およびサブピクセル行３０にＭ３色の行。これにより、第２の印刷パターンが完了する。
【０１１７】
次のステップは、第３の印刷パターンを形成することである。プリンタは、サブピクセルｄ3個分だけ横方向にシフトし、ｄ3はｐｚ−２ｄ1に等しい。この場合、ｐ＝３ｓ、ｚ＝８、ｄ1＝４ｓであるため、ｄ3＝３ｓ・８−２・４ｓ＝１６ｓである。これは、プリンタのＡ４の位置である。次に、印刷＃４と記された列に示されるように、プリンタは第３の組の行を印刷する：サブピクセル行２５にＭ１色の行、サブピクセル行２８にＭ２色の行、サブピクセル行３１に無色の行、サブピクセル行３４にＭ３色の行、サブピクセル行３７にＭ１色の行、サブピクセル行４０にＭ２色の行、サブピクセル行４３に無色の行、およびサブピクセル行４６にＭ３色の行。これにより、第３の印刷パターンが完了する。
【０１１８】
次のステップは、第１の印刷パターンを繰り返すことである。プリンタは、距離ｄ1＝４ｓだけ横方向にシフトする。これは、プリンタの位置Ａ５である。次に、印刷＃５と記された列に示されるように、プリンタは別の組の行を印刷する：サブピクセル行２９にＭ１色の行、サブピクセル行３２にＭ２色の行、サブピクセル行３５に無色の行、サブピクセル行３８にＭ３色の行、サブピクセル行４１にＭ１色の行、サブピクセル行４４にＭ２色の行、サブピクセル行４７に無色の行、およびサブピクセル行５０にＭ３色の行。
【０１１９】
次のステップは、第２の印刷パターンを繰り返すことである。プリンタは、距離ｄ2＝ｄ1＝４ｓだけ横方向にシフトする。これは、プリンタの位置Ａ６である。次に、印刷＃５と記された列に示されるように、プリンタは別の組の行を印刷する：サブピクセル行３３にＭ１色の行、サブピクセル行３６にＭ２色の行、サブピクセル行３９に無色の行、サブピクセル行４２にＭ３色の行、サブピクセル行４５にＭ１色の行、サブピクセル行４８にＭ２色の行、サブピクセル行５１に無色の行、およびサブピクセル行５４にＭ３色の行。
【０１２０】
次に、印刷は、第３の印刷パターンを繰り返すことなく停止する。この時点で、プリンタは、１組がサブピクセル８行分で、６組のサブピクセル行を印刷しており、これは４８のサブピクセル行に等しい。上述したように、大半の装置で、数百のサブピクセル行以上までのはるかに多数の行が必要であり、図中の４８のサブピクセル行は、単なる例示として示される。
【０１２１】
印刷結果は、「パターン」と記される列中に示される。非印刷行：サブピクセル行７、１１、１９、２３等に３番目の色のために利用可能なオープンサブピクセルがあることが分かる。１組が２色と、第３の色のための空白スペースとを足したものである完全な組が、サブピクセル行７からサブピクセル行４６まで存在する。
【０１２２】
このプロセスの次のステップは、非印刷方法により第３の色Ｍ４を塗布することである。いくつかの実施形態では、非印刷方法は蒸着である。いくつかの実施形態では、Ｍ１、Ｍ２、およびＭ３のそれぞれは赤、緑、および青であり、Ｍ４は白である。
【０１２３】
概説または図中の実施例において上述した動作のすべてが必要であるとは限らないこと、特定の動作の一部分が必要ない場合があること、および１つまたは複数のさらなる動作を、上述した動作に加えて実行してもよいことに留意する。さらに、動作が列挙された順序は必ずしも動作が実行される順序ではない。
【０１２４】
上記明細書において、特定の実施形態を参照して概念を説明した。しかし、以下の特許請求の範囲に記載される本発明の範囲から逸脱せずに、様々な修正および変更を行い得ることを当業者は理解する。したがって、本明細書および図は、限定の意味ではなくむしろ例示の意味で考えられるべきであり、そのようなすべての変更は、本発明の範囲内に含まれることが意図される。
【０１２５】
恩恵、他の利点、および問題の解決策について、特定の実施形態に関して上述した。しかし、任意の恩恵、利点、または解決策を生じさせ得る、またはさらに明確にし得る恩恵、利点、問題の解決策、およびいかなる特徴も、任意またはすべての請求項の必須、所要、または本質的な特徴として解釈されるべきではない。
【０１２６】
本明細書では、明確にするために、別個の実施形態の文脈の中で説明された特定の特徴を、単一の実施形態において組み合わせて提供してもよいことを理解されたい。逆に、簡潔にするために、単一の実施形態の文脈の中で説明された様々な特徴を、別個に、または任意の下位組み合わせで提供してもよい。本明細書において指定される様々な範囲での数値の使用は、まるで記載の範囲内の最小値および最大値の両方に言葉「約」が前置されているかのように、概算として述べられる。このようにして、記載される範囲を超えるわずかなばらつきおよび記載される範囲を下回るわずかなばらつきを使用して、それらの範囲内の値と略同じ結果を達成することができる。これらの範囲の開示は、ある値の成分のうちのいくつかが異なる値の成分と混じる場合に生じ得る小数値を含め、最小平均値と最大平均値との間のあらゆる値を含む連続範囲としても意図される。さらに、より広い範囲およびより狭い範囲が開示される場合、一範囲からの最小値を、別の範囲からの最大値に合わせること、そして逆もまた同様に、本発明の意図内である。
本出願は、特許請求の範囲に記載の発明を含め、以下の発明を包含する。
（Ｉ）  ワークピース上にサブピクセル行の規則正しい配列を形成する方法であって、サブピクセルは４つの異なる色を有し、かつサブピクセルピッチｓを有し、ｑ色は印刷により形成され、ｒ色は非印刷方法により形成され、前記方法は、
（１）ノズル間隔ｐを有する行内に配置されたｚ本のノズルを有する印刷ヘッドを設けることであって、ｚ＝４ｎ1であり、ｐ＝３ｓであり、印刷ヘッドはワークピースに対して第１の位置にある、印刷ヘッドを設けること、
（２）ｑ印刷色のそれぞれに１つずつ、ｑ個の異なる印刷インクを提供すること、
（３）規則正しい交互パターンで印刷インクのそれぞれをノズルに供給すること、
（４）印刷ヘッドを使用して、第１の組のｚサブピクセル行を印刷すること、
（５）移動させること、および第１の印刷パターンで印刷することであって、
（ａ）ワークピースを印刷ヘッドに対して距離ｄ1（但し、ｄ1＝４ｎ2ｓである）だけ横方向に移動させること、
（ｂ）印刷ヘッドを使用してｚサブピクセル行の組を印刷すること
を含む、移動させること、および第１の印刷パターンで印刷すること、
（６）移動させること、および第２の印刷パターンで印刷することであって、
（ｃ）ワークピースを印刷ヘッドに対して距離ｄ2（但し、ｄ2＝ｄ1である）だけ横方向に移動させること、
（ｄ）印刷ヘッドを使用してｚサブピクセル行の組を印刷すること
を含む、移動させること、および第２の印刷パターンで印刷すること、
（７）移動させること、および第３の印刷パターンで印刷することであって、
（ｅ）ワークピースを印刷ヘッドに対して距離ｄ3（但し、ｄ3は、ｄ1＋ｄ2＋ｄ3＝ｐｚであるようにｄ3＝４ｎ3ｓである）だけ横方向に移動させること、
（ｆ）印刷ヘッドを使用してｚサブピクセル行の組を印刷すること
を含む、移動させること、および第３の印刷パターンで印刷すること、
（８）ステップ（５）〜（７）を同じ順序で複数回繰り返すこと、および
（９）ｒ色を非印刷方法で塗布すること
を含み、
ｎ1は０よりも大きな整数であり、
ｎ2は、３の倍数ではなく、かつｎ2≦ｎ1であるような、０よりも大きな整数であり、
ｎ3は、２ｎ2＋ｎ3＝３ｎ1であるような整数であり、
ｑは１〜４の整数であり、
ｒはｑ＋ｒ＝４であるような整数であり、
パターンは、（ｉ）第１の印刷パターンの後、第２の印刷パターンが続き、次に第３の印刷パターンが続く順序、または（ｉｉ）第３の印刷パターンの後、第１の印刷パターンが続き、次に第２の印刷パターンが続く順序で実行される、方法。
（ＩＩ）  ｑ＝４である、（Ｉ）に記載の方法。
（ＩＩＩ）  ｎ1は少なくとも２である、（Ｉ）に記載の方法。
（ＩＶ）  ｎ1＝３〜９である、（Ｉ）に記載の方法。
（Ｖ）  ｎ1は３の倍数ではなく、ｄ1＝ｄ2＝ｄ3である、（Ｉ）に記載の方法。
（ＶＩ）  各印刷インクは、エレクトロルミネセンス材料および液体媒体を含む、（Ｉ）に記載の方法。
（ＶＩＩ）  ｒは少なくとも１であり、非印刷方法は、蒸着、熱転写、スピンコーティング、グラビアコーティング、カーテンコーティング、浸漬被覆、スロットダイコーティング、および吹き付け塗装からなる群から選択される、（Ｉ）に記載の方法。
【図１】
0005576482.tif 000003
【図２】
0005576482.tif 000004
【図３】
0005576482.tif 000005
【図３−２】
0005576482.tif 000006
【図４】
0005576482.tif 000007
【図４−２】
0005576482.tif 000008
【図５】
0005576482.tif 000009
【図６】
0005576482.tif 000010
【図６−２】
0005576482.tif 000011
【図７】
0005576482.tif 000012
【図７−２】
0005576482.tif 000013
【図８】
0005576482.tif 000014